(57)【要約】【課題】カードキーを紛失した場合、紛失したカードキーを一時的に使用不可に設定して安全性を確保する。【解決手段】電気錠６の解錠を許可する情報が予め登録された複数種類のＩＤ認証キー７を用い、ＩＤ認証キー７から検出した情報が予め登録された解錠許可情報と一致したときに、自動販売機４の本体に組み込まれる制御器１３が電気錠６を解錠制御する。ＩＤ認証キー７は、通常運用時に使用される運用キー７Ａと、マスター登録されたマスターキー７Ｂとからなる。制御器１３内の切替手段１３ｂの切り替えにより、運用キー７Ａ及びマスターキー７Ｂの両方が使用可能なモードと、マスターキー７Ｂのみが使用可能なモードのいずれかに切り替えられ、運用モードが設定される。【選択図】        図２
2004169347.tif 000002
【特許請求の範囲】
【請求項１】
電気錠（６）の解錠を許可する情報が予め登録された複数種類のＩＤ認証キー（７）を用い、該ＩＤ認証キーから検出した情報が予め登録された解錠許可情報と一致したときに前記電気錠を解錠制御するＩＤ認証キー制御装置（２）であって、
前記複数種類のＩＤ認証キーが、通常運用時に使用される運用キー（７Ａ）と、マスター登録されたマスターキー（７Ｂ）とからなり、
前記運用キー及び前記マスターキーの両方が使用可能なモードと、前記マスターキーのみが使用可能なモードとを切り替える切替手段（１３ｂ）を含む制御器（１３）を備えたことを特徴とするＩＤ認証キー制御装置。
【請求項２】
前記解錠許可情報の登録及び抹消を設定する設定器（１２）を備えた請求項１記載のＩＤ認証キー制御装置。
【発明の詳細な説明】
【０００１】
【発明の属する技術分野】
本発明は、例えば各種自動販売機に組み込まれる電気錠を用いた自動販売機用錠前に採用され、電気錠の解錠を許可する情報が予め登録された複数種類のＩＤ認証キーを用い、このＩＤ認証キーから検出した情報が予め登録された解錠許可情報と一致したときに電気錠を解錠制御するＩＤ認証キー制御装置に関する。
【０００２】
【従来の技術】
近年、自動販売機における大型高級機種の錠前には、ハンドルロックと称する錠前が一般的に使用されている。
この出願の発明に関連する先行技術文献情報としては下記のものがある。
【０００３】
【特許文献１】
実開平３−２１１８５号公報（実公平６−３９４１８号公報）
【０００４】
図４は上記特許文献１に開示される自動販売機用錠前の斜視図、図５は同断面図である。
【０００５】
このハンドルロックと称する自動販売機用錠前５１は、図４及び図５に示すように、自動販売機の扉の所定位置に固定されたハンドルケース５２と、ハンドルケース５２内に出没自在に挿入され常時外方向へ付勢されたハンドル５３と、ハンドル５３がハンドルケース５２から突出した時に、それを所定位置にロックさせるロック部５４と、ロック部５４における閂片５５を操作するシリンダ錠５６と、ハンドル５３が突出したときに係合され、ハンドル５３の操作により自動販売機本体に掛け止めされるボルト５７を備えている。
【０００６】
また、図５に示すように、シリンダ錠５６は、ハンドル５２の筒体５８内に取り外し自在に挿入され、筒体５８内に摺動自在に設けられ、その先端が筒体５８内に出没するコ字状の係合具５９で固定されている。さらに、図５に示すように、係合具５９の先端には、シリンダ錠５６外面のネジ部６０に係合される係止ネジ部６１が刻設されている。
【０００７】
上記のように構成される自動販売機用錠前５１では、シリンダ錠５６の鍵孔５６ａに鍵が挿入され、この鍵の回転操作によりシリンダ錠５６の内筒５６ｂが回動すると、この内筒５６ｂの回動に連動して閂片５５が上下に摺動する。そして、閂片５５が下方に移動し、ハンドルケース５２のロック穴６２に対する閂片５５の係合が外れると、ハンドル５３がハンドルケース５２から外側に突出し、この突出したハンドル５３を回転操作することにより扉６３の解錠が行えるようになっている。
【０００８】
【発明が解決しようとする課題】
しかしながら、上述した従来の自動販売機用錠前５１では、鍵を挿入してハンドル５３のロックを解除するためにシリンダ錠５６を採用しており、このシリンダ錠５６が外部に露出した構成なので、シリンダ錠５６の引き抜きやピッキングによりハンドル５３のロックを解除して悪意に扉６３が開かれる危険性があった。
【０００９】
そこで、近年、上述した問題を解消するため、従来のシリンダ錠に代わって電気錠を使用し、電気制御にて電気錠を解錠して開扉を可能にする自動販売機用錠前が提案されている。
【００１０】
この種の電気錠を用いた自動販売機用錠前では、電気錠を解錠する際に、複数種類のＩＤ認証キーが使用される。この複数種類のＩＤ認証キーは、運用キーとマスタキーで構成される。運用キーは、通常運用時に電気錠を解錠を行う場合に使用される。マスタキーは、予めマスター登録した鍵であり、通常時は例えば金庫等に保管して管理される。そして、このマスターキーは、特に運用キーを紛失した場合に使用され、運用キーと同様に通常運用時でも使用可能である。
【００１１】
上記電気錠を用いた自動販売機用錠前では、ハンドルのロックを解錠する場合、その錠前に対応するＩＤ認証キーを自動販売機用錠前の受信部にかざすと、受信部がＩＤ認証キーの情報を例えば電磁誘導波として受信し、受信部が受信したＩＤ認証キーの情報が予め登録された解錠許可情報（電気錠の解錠を許可する情報であり、例えばＩＤ情報として登録される）と一致すると、電気錠が解錠し、ハンドルのロックが解除され、扉を開くことができるようになっている。
【００１２】
しかしながら、上述した電気錠を用いた自動販売機用錠前では、通常運用時、電気錠を解錠するために運用キーがＩＤ認証キーとして使用され、このＩＤ認証キーを紛失した場合、そのＩＤ認証キーを取得した第三者が悪意に不正使用する危険性があった。
【００１３】
本発明は上記問題点に鑑みてなされたものであって、ＩＤ認証キーを紛失した場合、紛失したＩＤ認証キーを一時的に使用不可に設定して安全性を確保することができるＩＤ認証キー制御装置を提供することを目的とする。
【００１４】
【課題を解決するための手段】
上記目的を達成するため、本発明に係る請求項１の発明は、電気錠６の解錠を許可する情報が予め登録された複数種類のＩＤ認証キー７を用い、該ＩＤ認証キーから検出した情報が予め登録された解錠許可情報と一致したときに前記電気錠を解錠制御するＩＤ認証キー制御装置２であって、
前記複数種類のＩＤ認証キーが、通常運用時に使用される運用キー７Ａと、マスター登録されたマスターキー７Ｂとからなり、
前記運用キー及び前記マスターキーの両方が使用可能なモードと、前記マスターキーのみが使用可能なモードとを切り替える切替手段１３ｂを含む制御器１３を備えたことを特徴とする。
【００１５】
請求項２の発明は、請求項１のＩＤ認証キー制御装置において、前記解錠許可情報の登録及び抹消を設定する設定器１２を備えたことを特徴とする。
【００１６】
【発明の実施の形態】
以下、本発明の実施の形態を図面を参照しながら説明する。図１は本発明に係るＩＤ認証キー制御装置を含むＩＤ認証キー制御システムの概略構成図、図２はＩＤ認証キー制御装置の制御器の内部機能を含むＩＤ認証キー制御システムのブロック構成図、図３は電気錠を解錠するときの動作フローチャートである。
【００１７】
図１及び図２に示すように、本例のＩＤ認証キー制御システム１は、ＩＤ認証キー制御装置２と外部端末３を備えて概略構成される。このＩＤ認証キー制御システム１は、例えば各種自動販売機４本体に組み込まれてハンドルロックを解除するための電気錠６を解錠制御するものである。
【００１８】
さらに説明すると、ＩＤ認証キー制御システム１は、従来のシリンダ錠による鍵穴を廃し、非接触で電気錠６の解錠を行うシステムであり、電気錠６の解錠を許可する情報（ＩＤによる解錠許可情報）が予め登録された複数種類のカード型やタグ型のＩＤ認証キー７（運用キー７Ａ、マスターキー７Ｂ）を用い、このＩＤ認証キー７から検出した情報が予め登録された解錠許可情報と一致したときに電気錠６を解錠制御している。
【００１９】
図１及び図２に示すように、ＩＤ認証キー制御装置２は、電気式錠前（自動販売機用錠前）１１、設定器１２、制御器１３を備えて概略構成される。
【００２０】
図１に示すように、電気式錠前１１は、自動販売機４の本体に組み込まれ、不ハンドルケースに対するハンドルのロックを解除するためのアクチュエータを駆動して解錠する電気錠６と、ＩＤ認証キー７の情報を例えば電磁誘導波として受信する受信手段１４を備えている。
【００２１】
なお、電気式錠前１１は、電気錠６と受信手段１４以外の構成を例えば図４及び図５に示す従来の電気式錠前と略同等に構成することができる。例えば図４及び図５の構成の場合には、電気錠６のアクチュエータによりロック部５４の閂片５５を上下に摺動させる。
【００２２】
設定器１２は、例えばＰＤＡ（ｐｅｒｓｏｎａｌ  ｄｉｇｉｔａｌ  ａｓｓｉｓｔａｎｔｓ）  等の機動性に優れた情報機器で構成され、制御器１３に対して着脱可能に取り付けられる。設定器１２は、各種情報の設定や情報の取得を行う際に制御器１３に電気的に接続される。具体的に、この設定器１２では、例えばＩＤ認証キー７（運用キー７Ａ、マスターキー７Ｂ）の登録や抹消、時計の設定、後述する制御器１３内の記憶手段１３ａに記憶された履歴情報（解錠履歴：解錠された日時のリスト）等を本体の表示器で確認しながらキー操作により取得することができる。なお、この設定器１２は、図１の例で制御器１３に着脱可能な別構成となっているが、制御器１３に内蔵して一体に組み込む構成とすることもできる。
【００２３】
図２に示すように、制御器１３は、記憶手段１３ａ、切替手段１３ｂ、モード判別手段１３ｃ、情報検出手段１３ｄ、データ判別処理手段１３ｅ、駆動制御手段１３ｆ、入出力制御手段１３ｇを備えて概略構成される。
【００２４】
記憶手段１３ａには、ＩＤ認証キー７による電気錠６の解錠を許可するための解錠許可情報（例えば複数桁の数字や記号の組合せからなるＩＤ）、履歴情報（解錠履歴：解錠された日時のリスト）等が記憶されている。なお、解錠許可情報は、設定器１２からのキー操作により予め入力設定される。
【００２５】
切替手段１３ｂは、運用キー７Ａとマスターキー７Ｂの両方の使用が可能なモードと、マスターキー７Ｂのみの使用が可能なモードとを切り替えるものである。この切替手段１３ｂは、例えばオン・オフ動作するスイッチで構成される。このスイッチは、通常運用時においてオフ状態で運用キー７Ａとマスターキー７Ｂの両方の使用が可能なモードが選択され、オンしたときにマスターキー７Ｂのみの使用が可能なモードに切り替えられる。このスイッチによる切替手段１３ｂの切替信号はモード判別手段１３ｃに出力される。
【００２６】
モード判別手段１３ｃは、切替手段１３ｂから入力される切替信号により、現在の運用モードが運用キー７Ａ及びマスターキー７Ｂの両方が使用可能なモードか、マスターキー７Ｂのみが使用可能なモードかを判別し、その判別結果（モード判別信号）をデータ判別処理手段１３ｅに出力している。
【００２７】
情報検出手段１３ｄは、電気式錠前１１の受信手段１４が受信したＩＤ認証キー７の情報を検出し、その検出した情報をデータ判別処理手段１３ｅに出力している。
【００２８】
データ判別処理手段１３ｅは、モード判別手段１３ｃからのモード判別信号により、運用キー７Ａ及びマスターキー７Ｂの両方が使用可能なモード、又はマスターキー７Ｂのみが使用可能なモードのいずれかの運用モードに設定し、設定された運用モードで後述する図３の処理を実行している。そして、このデータ判別処理手段１３ｅでは、情報検出手段１３ｄが検出したＩＤ認証キー７の情報と、記憶手段１３ａに予め記憶された解錠許可情報とを照合し、両者が一致したときに解錠許可信号を駆動制御手段１３ｆに出力している。
【００２９】
また、データ判別処理手段１３ｅは、情報検出手段１３ｄからのＩＤ認証キー７の情報を異常、すなわちそのＩＤ認証キー７が未登録キーと判断したときに、ＩＤ認証キー７が未登録キーである旨の鳴動指令信号を後述する鳴動手段１５に出力している。これに対し、情報検出手段１３ｄからのＩＤ認証キー７の情報を正常、すなわちそのＩＤ認証キー７が登録キーと判断したときには、ＩＤ認証キー７の情報を正常認識した旨の鳴動指令信号を後述する鳴動手段１５に出力している。
【００３０】
駆動制御手段１３ｆは、データ判別処理手段１３ｅから解錠許可信号が入力されたときに電気錠６を解錠するべくアクチュエータ（ソレノイド）を駆動制御している。
【００３１】
入出力制御手段１３ｇは、設定器１２とデータ判別処理手段１３ｅとの間のデータや信号のやり取りやデータ判別処理手段１３ｅから鳴動手段１５への鳴動指令信号の出力を制御している。
【００３２】
上述した構成の制御器１３が組み込まれる自動販売機４側には、鳴動手段１５と電源装置１６とが設備として設けられる。鳴動手段１５は、例えば制御器１３の入出力制御手段１３ｇに電気的に接続される防盗ブザーとＩＤ認識ブザーで構成される。防盗ブザーは、自動販売機４の扉が不正に開扉されたときに鳴動する。また、ＩＤ認識ブザーは、入出力制御手段１３ｇを介してデータ判別処理手段１３ｅから入力される鳴動指令信号により鳴動するもので、ＩＤ認証キー７の情報が正常か否か（ＩＤ認証キー７が登録キーであるか否か）により異なる音で鳴動する。電源装置１６は、制御器１３に対して必要な駆動電源を供給している。
【００３３】
外部端末３は、例えばパソコン等の端末で構成され、例えばＲＳ２３２Ｃ等の通信インターフェースを介して設定器１２と電気的に接続される。この外部端末３では、設定器１２が制御器１３から取得した履歴情報（解錠履歴）を画面上に展開して解錠状況を把握、管理できる。
【００３４】
次に、上記構成による電気式錠前１１の電気錠６を解錠するときに制御器１３が実行する動作について図３のフローチャートを参照しながら説明する。
【００３５】
まず、通常運用時においては、運用キー７Ａとマスターキー７Ｂの両方が使用可能なモードが設定され、切替手段１３ｂのスイッチがオフ状態にある。そして、切替手段１３ｂがオフと判別し（ＳＴ１−Ｎｏ）、受信手段１４にかざされるＩＤ認証キー７の情報が読み取られると（ＳＴ２）、ＩＤ認証キー７の情報を検出したか否かを判別する（ＳＴ３）。ＩＤ認証キー７の情報を検出しなければ（ＳＴ３−Ｎｏ）、ＳＴ１に戻る。これに対し、ＩＤ認証キー７の情報を検出すると（ＳＴ３−Ｙｅｓ）、この検出情報が予め登録されたＩＤ認証キーの解錠許可情報のＩＤと一致するか否かを判別する（ＳＴ４）。そして、検出情報が解錠許可情報と一致しないと判別すると（ＳＴ４−Ｎｏ）、そのＩＤ認証キー７の情報を無効と判断し、ＩＤ認証キー７が未登録キーであることを示す音でＩＤ認識ブザーを鳴動する（ＳＴ５）。これに対し、検出情報が解錠許可情報と一致し、ＩＤ認証キー７が登録キーと判別すると（ＳＴ４−Ｙｅｓ）、動作開始音を鳴動し、アクチュエータを駆動して電気錠６を解錠する（ＳＴ６）。これにより、例えば図４及び図５の構成に電気錠６を採用した場合には、ハンドル５３がハンドルケース５２から外側に突出し、この突出したハンドル５３を回転操作することにより開扉が可能となる。そして、所定時間が経過すると、アクチュエータがオフし、動作終了音が鳴動する（ＳＴ７）。
【００３６】
次に、マスターキー７Ｂのみが使用可能なモードに設定する場合には、切替手段１３ｂのスイッチをオンする。そして、切替手段１３ｂがオンと判別し（ＳＴ１−Ｙｅｓ）、受信手段１４にかざされるＩＤ認証キー７の情報が読み取られると（ＳＴ８）、ＩＤ認証キー７の情報を検出したか否かを判別する（ＳＴ９）。ＩＤ認証キー７の情報を検出しなければ（ＳＴ９−Ｎｏ）、ＳＴ１に戻る。これに対し、ＩＤ認証キー７の情報を検出すると（ＳＴ９−Ｙｅｓ）、この検出情報が予め登録されたマスターキーの解錠許可情報のＩＤと一致するか否かを判別する（ＳＴ１０）。そして、検出情報が解錠許可情報と一致しないと判別すると（ＳＴ１０−Ｎｏ）、そのＩＤ認証キー７の情報を無効と判断し、ＩＤ認証キー７が未登録キーであることを示す音でＩＤ認識ブザーを鳴動する（ＳＴ１１）。これに対し、検出情報が解錠許可情報と一致し、ＩＤ認証キー７が登録キーと判別すると（ＳＴ１０−Ｙｅｓ）、動作開始音を鳴動し、アクチュエータを駆動して電気錠６を解錠する（ＳＴ６）。これにより、例えば図４及び図５の構成に電気錠６を採用した場合には、ハンドル５３がハンドルケース５２から外側に突出し、この突出したハンドル５３を回転操作することにより開扉が可能となる。そして、所定時間が経過すると、アクチュエータがオフし、動作終了音が鳴動する（ＳＴ７）。
【００３７】
このように、本例のＩＤ認証キー制御装置２を含むシステムによれば、制御器１３の切替手段１３ｂの切替操作（例えばスイッチのオン操作）によりマスターキー７Ｂのみが使用可能なモードに設定すれば、予め登録されたマスターキー７Ｂのみ運用できるように設定変更することができる。これにより、通常運用時に使用される運用キー７Ａを紛失した場合、その紛失した運用キー７Ａを一時的に使用できないように設定することができる。
【００３８】
また、使用されるＩＤ認証キー７は、設定器１２からのキー操作による登録式を採用しているので、万一紛失した場合でも紛失したＩＤ認証キー７の登録情報を設定器１２からの入力操作により抹消することができる。しかも、設定器１３からの入力操作により、新規ＩＤによるＩＤ認証キー７を追加登録できるので、安全に継続使用することができる。
【００３９】
ところで、上述した実施の形態によるＩＤ認証キー制御装置２を含むシステムは、自動販売機に組み込まれる電気式錠前１１（電気錠６）の解錠制御に限らず、ＩＤ認証キーを用いて電気錠の解錠を制御するものに適用することができる。
【００４０】
【発明の効果】
以上の説明で明らかなように、本発明のＩＤ認証キー制御装置によれば、切替手段の切替操作によりマスターキーのみが使用可能なモードに設定すれば、予め登録されたマスターキーのみ運用できるように設定変更することができる。これにより、通常運用時に使用される運用キーを紛失した場合、その紛失した運用キーを一時的に使用できないように設定することができる。
【００４１】
また、万一ＩＤ認証キーを紛失した場合でも、この紛失したＩＤ認証キーの登録情報を設定器からの入力操作により抹消することができる。しかも、設定器からの入力操作により、新規ＩＤによるＩＤ認証キーを追加登録できるので、安全に継続使用することができる。
【図面の簡単な説明】
【図１】本発明に係るＩＤ認証キー制御装置を含むＩＤ認証キー制御システムの概略構成図である。
【図２】本発明に係るＩＤ認証キー制御装置の制御器の内部機能を含むＩＤ認証キー制御システムのブロック構成図
【図３】本発明に係るＩＤ認証キー制御装置による電気錠を解錠するときの動作フローチャートである。
【図４】実開平３−２１１８５号公報に開示される自動販売機用錠前の斜視図である。
【図５】図４の自動販売機錠前の断面図である。
【符号の説明】
２…ＩＤ認証キー制御装置、６…電気錠、７…ＩＤ認証キー、７Ａ…運用キー、７Ｂ…マスターキー、１２…設定器、１３…制御器、１３ｂ…切替手段。
【図１】
2004169347.tif 000003
【図２】
2004169347.tif 000004
【図３】
2004169347.tif 000005
【図４】
2004169347.tif 000006
【図５】
2004169347.tif 000007